(57)【特許請求の範囲】
【請求項１】
情報端末の制御方法であって、
操作者により蓄電装置の状態の履歴情報を前記情報端末からサーバ装置に送信させるプログラムを前記情報端末にインストールする指示を受け付けた後、及び、前記操作者により前記情報端末にインストールされた前記プログラムを起動する指示を受け付けた後の少なくとも一方において、放電が禁止されている状態にロックされている前記蓄電装置のロックを解除する信号を前記蓄電装置に送信するステップ（ａ）を備える
情報端末の制御方法。
【請求項２】
前記操作者による前記プログラムのインストールの指示を受け付けると、前記蓄電装置のロックを解除する信号を前記蓄電装置に送信する
請求項１に記載の情報端末の制御方法。
【請求項３】
前記プログラムのインストールが完了すると、前記蓄電装置のロックを解除する信号を前記蓄電装置に送信する
請求項１に記載の情報端末の制御方法。
【請求項４】
前記情報端末の制御方法は、さらに、前記操作者による前記プログラムのインストールの指示を受け付けた後、前記蓄電装置のロックを解除する信号の送信を確認する画面を表示器に表示するステップ（ｂ）を備え、
前記ステップ（ｂ）の後、前記操作者による前記蓄電装置のロックを解除する信号を前記蓄電装置に送信する指示を受け付けると、前記ステップ（ａ）が実行される
請求項１に記載の情報端末の制御方法。
【請求項５】
前記操作者による前記プログラムの起動の指示を受け付けると、前記蓄電装置のロックを解除する信号を前記蓄電装置に送信する
請求項１に記載の情報端末の制御方法。
【請求項６】
前記プログラムの起動が完了すると、前記蓄電装置のロックを解除する信号を前記蓄電装置に送信する
請求項１に記載の情報端末の制御方法。
【請求項７】
前記情報端末の制御方法は、さらに、前記操作者による前記プログラムの起動の指示を受け付けた後、前記蓄電装置のロックを解除する信号の送信を確認する画面を表示器に表示するステップ（ｃ）を備え、
前記ステップ（ｃ）の後、前記操作者による前記蓄電装置のロックを解除する信号を前記蓄電装置に送信する指示を受け付けると、前記ステップ（ａ）が実行される
請求項１に記載の情報端末の制御方法。
【請求項８】
前記情報端末の制御方法は、さらに、前記蓄電装置に関する情報及び前記蓄電装置の利用者に関する情報の少なくとも一方を前記サーバ装置に送信するステップ（ｄ）を備え、
前記ステップ（ｄ）の後、前記ステップ（ａ）を実行する
請求項１に記載の情報端末の制御方法。
【請求項９】
前記情報端末の制御方法は、さらに、前記蓄電装置に関する情報及び前記蓄電装置の利用者に関する情報の少なくとも一方を前記サーバ装置に送信するステップ（ｄ）を備え、
前記ステップ（ｄ）の後、前記ステップ（ｂ）を実行する
請求項４に記載の情報端末の制御方法。
【請求項１０】
前記情報端末の制御方法は、さらに、前記蓄電装置に関する情報及び前記蓄電装置の利用者に関する情報の少なくとも一方を前記サーバ装置に送信するステップ（ｄ）を備え、
前記ステップ（ｄ）の後、前記ステップ（ｃ）を実行する
請求項７に記載の情報端末の制御方法。
【請求項１１】
前記情報端末の制御方法は、さらに、前記操作者による前記プログラムの起動の指示を受け付けた後、前記蓄電装置に関する情報及び前記蓄電装置の利用者に関する情報の少なくとも一方の前記サーバ装置への送信を確認する画面を表示器に表示するステップ（ｅ）を備え、
前記ステップ（ｅ）の後、前記操作者による前記蓄電装置に関する情報及び前記蓄電装置の利用者に関する情報の少なくとも一方の前記サーバ装置への送信の指示を受け付けると、前記ステップ（ｄ）を実行する
請求項８〜１０のいずれか１項に記載の情報端末の制御方法。
【請求項１２】
前記ステップ（ｄ）において、さらに、前記蓄電装置が搭載される電気機器に関する情報を送信する
請求項８〜１１のいずれか１項に記載の情報端末の制御方法。
【請求項１３】
前記ステップ（ｄ）において、さらに、前記蓄電装置の識別情報と前記蓄電装置の利用者の識別情報とが対応付けされたデータを前記サーバ装置に送信する
請求項８〜１２のいずれか１項に記載の情報端末の制御方法。
【請求項１４】
前記対応付けされたデータには、前記蓄電装置が搭載される電気機器に関する情報がさらに対応付けされている
請求項１３に記載の情報端末の制御方法。
【請求項１５】
前記プログラムは、前記蓄電装置から前記蓄電装置の状態の履歴情報を取得し、且つ、前記蓄電装置の状態の履歴情報を前記情報端末から前記サーバ装置に送信させるプログラムである
請求項１〜１４のいずれか１項に記載の情報端末の制御方法。
【請求項１６】
情報端末であって、
操作者により蓄電装置の状態の履歴情報を前記情報端末からサーバ装置に送信させるプログラムを前記情報端末にインストールする指示を受け付ける受付器と、
前記蓄電装置と通信する通信器と、
前記操作者から前記インストールの指示を前記受付器が受け付けた後、及び、前記操作者から前記情報端末にインストールされた前記プログラムを起動する指示を前記受付器が受け付けた後の少なくとも一方において、放電が禁止されている状態にロックされている前記蓄電装置のロックを解除する信号を前記通信器を介して前記蓄電装置に送信する制御器とを備える
情報端末。
【発明の詳細な説明】
【技術分野】
【０００１】
本開示は、情報端末の制御方法及び情報端末に関する。
【背景技術】
【０００２】
例えば電動自転車、電動スクータ又は電気自動車等に電力を供給するための蓄電装置を利用者にレンタルするレンタルサービスが知られている（例えば、特許文献１及び２参照）。このレンタルサービスでは、蓄電装置の状態の履歴情報が利用者の情報端末から管理センタのサーバ装置に送信されることにより、サーバ装置において蓄電装置の使用状況等が管理される。
【先行技術文献】
【特許文献】
【０００３】
【特許文献１】特開２００１−３０６９６１号公報
【特許文献２】特開２００８−２５０７８６号公報
【発明の概要】
【発明が解決しようとする課題】
【０００４】
しかしながら、上記従来の技術では、蓄電装置の状態の履歴情報がサーバ装置に送信されないままで、利用者が蓄電装置を使用し続ける場合がある。このような場合には、サーバ装置において蓄電装置の使用状況等を適切に管理することができないという問題がある。
【０００５】
上記事情を鑑み、例示的なある実施形態は、サーバ装置において蓄電装置の使用状況等を適切に管理し易くなる情報端末の制御方法及び情報端末を提供する。
【課題を解決するための手段】
【０００６】
本開示の一態様に係る情報端末の制御方法は、操作者により蓄電装置の状態の履歴情報をサーバ装置に送信するプログラムを前記情報端末にインストールする指示を受け付けた後、及び、前記操作者により前記情報端末にインストールされた前記プログラムを起動する指示を受け付けた後の少なくとも一方において、使用不可の状態にロックされている前記蓄電装置のロックを解除する信号を前記蓄電装置に送信するステップ（ａ）を備える。
【０００７】
本開示の一態様に係る情報端末は、操作者により蓄電装置の状態の履歴情報をサーバ装置に送信するプログラムを情報端末にインストールする指示を受け付ける受付器と、前記蓄電装置と通信する通信器と、前記操作者から前記インストールの指示を前記受付器が受け付けた後、及び、前記操作者から前記情報端末にインストールされた前記プログラムを起動する指示を前記受付器が受け付けた後の少なくとも一方において、使用不可の状態にロックされている前記蓄電装置のロックを解除する信号を前記通信器を介して前記蓄電装置に送信する制御器とを備える。
【０００８】
なお、これらの包括的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【０００９】
本開示の情報端末の制御方法及び情報端末では、サーバ装置において蓄電装置の使用状況等を適切に管理し易くなる。
【図面の簡単な説明】
【００１０】
【図１】実施の形態１（〜５）に係るレンタルシステムの全体構成を示す図である。
【図２】実施の形態１に係る蓄電装置の機能構成を示すブロック図である。
【図３】実施の形態１に係る情報端末の機能構成を示すブロック図である。
【図４】実施の形態１に係るレンタルシステムにおけるレンタル処理を示すシーケンス図である。
【図５】実施の形態１に係るサーバ装置で管理される管理テーブルの一例を示す図である。
【図６】実施の形態１に係るレンタルシステムにおける蓄電装置の状態の履歴情報の送信処理を示すシーケンス図である。
【図７】実施の形態２に係るレンタルシステムにおける蓄電装置の状態の履歴情報の送信処理を示すシーケンス図である。
【図８】実施の形態３に係るレンタルシステムにおける蓄電装置の状態の履歴情報の送信処理を示すシーケンス図である。
【図９】実施の形態４に係るレンタルシステムにおける蓄電装置の状態の履歴情報の送信処理を示すシーケンス図である。
【図１０】実施の形態４に係る情報端末に表示される確認画面の一例を示す図である。
【図１１】実施の形態５に係るレンタルシステムにおける蓄電装置の状態の履歴情報の送信処理を示すシーケンス図である。
【図１２】実施の形態５に係る情報端末に表示される確認画面の一例を示す図である。
【発明を実施するための形態】
【００１１】
本開示の第１態様に係る情報端末の制御方法は、操作者により蓄電装置の状態の履歴情報をサーバ装置に送信するプログラムを前記情報端末にインストールする指示を受け付けた後、及び、前記操作者により前記情報端末にインストールされた前記プログラムを起動する指示を受け付けた後の少なくとも一方において、使用不可の状態にロックされている前記蓄電装置のロックを解除する信号を前記蓄電装置に送信するステップ（ａ）を備える。
【００１２】
本態様によれば、操作者が蓄電装置の状態の履歴情報を情報端末からサーバ装置に送信する準備（プログラムのインストール及びプログラムの起動の少なくとも一方）を整えた後に、上記信号が情報端末から蓄電装置に送信されることにより、蓄電装置のロックが解除される。これにより、蓄電装置の利用者が、蓄電装置の状態の履歴情報をサーバ装置に送信しないまま、蓄電装置を使用し続ける状況の発生を低減することができる。その結果、サーバ装置において蓄電装置の使用状況等を適切に管理し易くなる。
【００１３】
なお、「プログラムの操作者によるインストールの指示を受け付けた後」とは、インストールの指示を受け付けた後のいずれのタイミングでもよい。具体的には、インストールの指示を受け付けてからインストールが開始するまでの間、インストール中、インストールの完了後のいずれのタイミングでもよい。また、「操作者によるプログラムの起動の指示を受け付けた後」とは、起動の指示を受け付けた後のいずれのタイミングでもよい。具体的には、起動の指示を受け付けてから起動が開始するまでの間、起動中、起動の完了後のいずれのタイミングでもよい。
【００１４】
本開示の第２態様の情報端末の制御方法は、例えば、上記第１態様の情報端末の制御方法において、前記操作者による前記プログラムのインストールの指示を受け付けると、前記蓄電装置のロックを解除する信号を前記蓄電装置に送信するように構成してもよい。
【００１５】
本態様によれば、操作者によるプログラムのインストールの指示が受け付けられたことを契機として、上記信号を蓄電装置に送信することができる。
【００１６】
本開示の第３態様の情報端末の制御方法は、例えば、上記第１態様の情報端末の制御方法において、前記プログラムのインストールが完了すると、前記蓄電装置のロックを解除する信号を前記蓄電装置に送信するように構成してもよい。
【００１７】
本態様によれば、プログラムのインストールが完了したことを契機として、上記信号を蓄電装置に送信することができる。
【００１８】
本開示の第４態様の情報端末の制御方法は、例えば、上記第１態様の情報端末の制御方法において、さらに、前記操作者による前記プログラムのインストールの指示を受け付けた後、前記蓄電装置のロックを解除する信号の送信を確認する画面を表示器に表示するステップ（ｂ）を備え、前記ステップ（ｂ）の後、前記操作者による前記蓄電装置のロックを解除する信号を前記蓄電装置に送信する指示を受け付けると、前記ステップ（ａ）が実行されるように構成してもよい。
【００１９】
本態様によれば、蓄電装置のロックを解除する信号の送信を確認する画面が表示器に表示されるので、利用者は、この画面に従って上記信号を蓄電装置に送信する指示を行うことができる。
【００２０】
本開示の第５態様の情報端末の制御方法は、例えば、上記第１態様の情報端末の制御方法において、前記操作者による前記プログラムの起動の指示を受け付けると、前記蓄電装置のロックを解除する信号を前記蓄電装置に送信するように構成してもよい。
【００２１】
本態様によれば、操作者によるプログラムの起動の指示が受け付けられたことを契機として、上記信号を蓄電装置に送信することができる。
【００２２】
本開示の第６態様の情報端末の制御方法は、例えば、上記第１態様の情報端末の制御方法において、前記プログラムの起動が完了すると、前記蓄電装置のロックを解除する信号を前記蓄電装置に送信するように構成してもよい。
【００２３】
本態様によれば、プログラムの起動が完了したことを契機として、上記信号を蓄電装置に送信することができる。
【００２４】
本開示の第７態様の情報端末の制御方法は、例えば、上記第１態様の情報端末の制御方法において、さらに、前記操作者による前記プログラムの起動の指示を受け付けた後、前記蓄電装置のロックを解除する信号の送信を確認する画面を表示器に表示するステップ（ｃ）を備え、前記ステップ（ｃ）の後、前記操作者による前記蓄電装置のロックを解除する信号を前記蓄電装置に送信する指示を受け付けると、前記ステップ（ａ）が実行されるように構成してもよい。
【００２５】
本態様によれば、蓄電装置のロックを解除する信号の送信を確認する画面が表示器に表示されるので、利用者は、この画面に従って上記信号を蓄電装置に送信する指示を行うことができる。
【００２６】
本開示の第８態様の情報端末の制御方法は、例えば、上記第１態様の情報端末の制御方法において、さらに、前記蓄電装置に関する情報及び前記蓄電装置の利用者に関する情報の少なくとも一方を前記サーバ装置に送信するステップ（ｄ）を備え、前記ステップ（ｄ）の後、前記ステップ（ａ）を実行するように構成してもよい。
【００２７】
本態様によれば、蓄電装置に関する情報及び蓄電装置の利用者に関する情報の少なくとも一方をサーバ装置に送信するので、サーバ装置においてロックが解除される蓄電装置に関する情報及び当該蓄電装置を利用する利用者に関する情報の少なくとも一方を管理することができる。
【００２８】
本開示の第９態様の情報端末の制御方法は、例えば、上記第４態様の情報端末の制御方法において、さらに、前記蓄電装置に関する情報及び前記蓄電装置の利用者に関する情報の少なくとも一方を前記サーバ装置に送信するステップ（ｄ）を備え、前記ステップ（ｄ）の後、前記ステップ（ｂ）を実行するように構成してもよい。
【００２９】
本態様によれば、蓄電装置に関する情報及び蓄電装置の利用者に関する情報の少なくとも一方をサーバ装置に送信するので、サーバ装置においてロックが解除される蓄電装置に関する情報及び当該蓄電装置を利用する利用者に関する情報の少なくとも一方を管理することができる。
【００３０】
本開示の第１０態様の情報端末の制御方法は、例えば、上記第７態様の情報端末の制御方法において、さらに、前記蓄電装置に関する情報及び前記蓄電装置の利用者に関する情報の少なくとも一方を前記サーバ装置に送信するステップ（ｄ）を備え、前記ステップ（ｄ）の後、前記ステップ（ｃ）を実行するように構成してもよい。
【００３１】
本態様によれば、蓄電装置に関する情報及び蓄電装置の利用者に関する情報の少なくとも一方をサーバ装置に送信するので、サーバ装置においてロックが解除される蓄電装置に関する情報及び当該蓄電装置を利用する利用者に関する情報の少なくとも一方を管理することができる。
【００３２】
本開示の第１１態様の情報端末の制御方法は、例えば、上記第８態様−第１０態様のいずれか１つの情報端末の制御方法において、さらに、前記操作者による前記プログラムの起動の指示を受け付けた後、前記蓄電装置に関する情報及び前記蓄電装置の利用者に関する情報の少なくとも一方の前記サーバ装置への送信を確認する画面を表示器に表示するステップ（ｅ）を備え、前記ステップ（ｅ）の後、前記操作者による前記蓄電装置に関する情報及び前記蓄電装置の利用者に関する情報の少なくとも一方の前記サーバ装置への送信の指示を受け付けると、前記ステップ（ｄ）を実行するように構成してもよい。
【００３３】
本態様によれば、蓄電装置に関する情報及び蓄電装置の利用者に関する情報の少なくとも一方のサーバ装置への送信を確認する画面が表示器に表示されるので、利用者は、この画面に従って上記情報をサーバ装置に送信する指示を行うことができる。
【００３４】
本開示の第１２態様の情報端末の制御方法は、例えば、上記第８態様−第１１態様のいずれか１つの情報端末の制御方法において、前記ステップ（ｄ）において、さらに、前記蓄電装置が搭載される電気機器に関する情報を送信するように構成してもよい。
【００３５】
本態様によれば、サーバ装置においてロックが解除される蓄電装置が搭載される電気機器に関する情報を管理することができる。
【００３６】
本開示の第１３態様の情報端末の制御方法は、例えば、上記第８態様−第１２態様のいずれか１つの情報端末の制御方法において、前記ステップ（ｄ）において、さらに、前記蓄電装置の識別情報と前記蓄電装置の利用者の識別情報とが対応付けされたデータを前記サーバ装置に送信するように構成してもよい。
【００３７】
本態様によれば、サーバ装置において蓄電装置の識別情報と蓄電装置の利用者の識別情報とを対応付けて管理することができる。
【００３８】
本開示の第１４態様の情報端末の制御方法は、例えば、上記第１３態様の情報端末の制御方法において、前記対応付けされたデータには、前記蓄電装置が搭載される電気機器に関する情報がさらに対応付けされているように構成してもよい。
【００３９】
本態様によれば、サーバ装置において蓄電装置が搭載される電気機器に関する情報を管理することができる。
【００４０】
本開示の第１５態様の情報端末の制御方法は、例えば、上記第１態様−第１４態様のいずれか１つの情報端末の制御方法において、前記プログラムは、前記蓄電装置から前記蓄電装置の状態の履歴情報を取得し、且つ、前記蓄電装置の状態の履歴情報を前記サーバ装置に送信するプログラムであるように構成してもよい。
【００４１】
本態様によれば、情報端末は、インストールされたプログラムに基づいて、蓄電装置から蓄電装置の状態の履歴情報を取得し、且つ、蓄電装置の状態の履歴情報をサーバ装置に送信することができる。
【００４２】
本開示の第１６態様の情報端末は、操作者により蓄電装置の状態の履歴情報をサーバ装置に送信するプログラムを情報端末にインストールする指示を受け付ける受付器と、前記蓄電装置と通信する通信器と、前記操作者から前記インストールの指示を前記受付器が受け付けた後、及び、前記操作者から前記情報端末にインストールされた前記プログラムを起動する指示を前記受付器が受け付けた後の少なくとも一方において、使用不可の状態にロックされている前記蓄電装置のロックを解除する信号を前記通信器を介して前記蓄電装置に送信する制御器とを備える。
【００４３】
本態様によれば、操作者が蓄電装置の状態の履歴情報を情報端末からサーバ装置に送信する準備（プログラムのインストール及びプログラムの起動の少なくとも一方）を整えた後に、上記信号が情報端末から蓄電装置に送信されることにより、蓄電装置のロックが解除される。これにより、蓄電装置の利用者が、蓄電装置の状態の履歴情報をサーバ装置に送信しないまま、蓄電装置を使用し続ける状況の発生を低減することができる。その結果、サーバ装置において蓄電装置の使用状況等を適切に管理し易くなる。
【００４４】
なお、これらの包括的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム又は記録媒体の任意な組み合わせで実現されてもよい。
【００４５】
以下、実施の形態について、図面を参照しながら具体的に説明する。
【００４６】
なお、以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００４７】
（実施の形態１）
［１−１．レンタルシステムの全体構成］
まず、図１を参照しながら、実施の形態１に係るレンタルシステム２の全体構成について説明する。図１は、実施の形態１に係るレンタルシステム２の全体構成を示す図である。
【００４８】
図１に示すように、実施の形態１に係るレンタルシステム２は、電気機器４に搭載される蓄電装置６を利用者８にレンタルするレンタルサービスを実現するためのシステムである。このレンタルシステム２は、管理センタ１０及びサービスセンタ１２によって運営されている。
【００４９】
蓄電装置６は、充電及び放電が可能な蓄電池パックである。蓄電装置６は、電気機器４に着脱自在に搭載されることにより、電気機器４に電力を供給する。
【００５０】
電気機器４は、当該電気機器４に搭載された蓄電装置６からの電力により駆動する機器である。電気機器４は、例えば電動自転車である。利用者８は、電気機器４を使用する際には、サービスセンタ１２でレンタルされた蓄電装置６を電気機器４に着脱自在に搭載する。また、利用者８は、蓄電装置６の返却期限日が近付くと、蓄電装置６を電気機器４から取り外してサービスセンタ１２に返却する。
【００５１】
管理センタ１０では、利用者８にレンタルされる蓄電装置６の使用状況等の管理が行われる。管理センタ１０は、サーバ装置１４を備えている。
【００５２】
サーバ装置１４は、操作者としての利用者８が操作する情報端末１６（後述する）及びサービスセンタ１２の処理装置２０（後述する）の各々との間でインターネット１８を介して通信を行い、蓄電装置６及び利用者８に関する各種データの管理を行う。サーバ装置１４は、例えばクラウドサーバである。
【００５３】
サービスセンタ１２では、蓄電装置６が利用者８にレンタルされ、且つ、レンタルされた蓄電装置６が利用者８から返却される。サービスセンタ１２では、さらに、利用者８から返却された蓄電装置６の検査及び充電等が行われる。サービスセンタ１２は、処理装置２０、カードリーダ２２、検査装置２４、中継装置２６及び充電装置２８を備えている。
【００５４】
処理装置２０は、管理センタ１０のサーバ装置１４との間でインターネット１８を介して通信を行い、レンタルサービスのためのデータ処理を行う。例えば、処理装置２０は、蓄電装置６のレンタル又は返却の際に、利用者ＩＤと蓄電装置ＩＤとをそれぞれサーバ装置１４に送信する。なお、利用者ＩＤは、レンタルサービスの会員である利用者８を識別するための識別情報である。蓄電装置ＩＤは、利用者８にレンタルされる蓄電装置６を識別するための識別情報である。
【００５５】
カードリーダ２２は、会員カード３０から利用者ＩＤを読み出し、処理装置２０に出力する。会員カード３０は、利用者８がレンタルサービスの会員として登録されることによって、レンタルサービスを運営する事業者から利用者８に与えられる。会員カード３０には、利用者ＩＤが記憶されている。例えば、会員カード３０はＩＣ（Ｉｎｔｅｇｒａｔｅｄ  Ｃｉｒｃｕｉｔ）カードであり、カードリーダ２２はＩＣカードリーダである。
【００５６】
検査装置２４は、蓄電装置６から蓄電装置ＩＤを取得し、処理装置２０に出力する。検査装置２４は、さらに、利用者８から返却された蓄電装置６の検査を行い、検査結果を処理装置２０に出力する。例えば、検査装置２４は、蓄電装置６を通電することにより、蓄電装置６の放電能力及び充電能力等を検査する。
【００５７】
中継装置２６は、処理装置２０とサーバ装置１４との間の通信を中継する。中継装置２６は、例えばルータである。
【００５８】
充電装置２８は、複数の蓄電装置６を同時に充電することが可能なラック式の充電装置である。蓄電装置６が充電装置２８に着脱自在に装着されることにより、蓄電装置６への充電が行われる。
【００５９】
情報端末１６は、利用者８によって操作される携帯端末であり、例えばスマートフォンである。情報端末１６は、サーバ装置１４との間でインターネット１８を介して通信を行い、且つ、蓄電装置６との間で近距離無線通信による通信を行う。情報端末１６は、蓄電装置６から受信したデータをサーバ装置１４に転送し、且つ、サーバ装置１４から受信したデータを蓄電装置６に転送する。なお、近距離無線通信は、例えばＢｌｕｅｔｏｏｔｈ（登録商標）、無線ＬＡＮ（Ｌｏｃａｌ  Ａｒｅａ  Ｎｅｔｗｏｒｋ）又は赤外線通信等である。
【００６０】
［１−２．蓄電装置の機能構成］
次に、図２を参照しながら、実施の形態１に係る蓄電装置６の機能構成について説明する。図２は、実施の形態１に係る蓄電装置６の機能構成を示すブロック図である。
【００６１】
図２に示すように、蓄電装置６は、蓄電池３２、通信器３４、複数の端子３６、入出力器３８、表示器４０、記憶器４２及び制御器４４を備えている。
【００６２】
蓄電池３２は、充電及び放電が可能な二次電池である。蓄電池３２は、例えばリチウムイオン電池、リチウムイオンポリマー電池又はニッケル水素電池等である。
【００６３】
通信器３４は、情報端末１６との間で近距離無線通信により通信するための通信アダプタである。例えば、通信器３４は、記憶器４２に記憶された蓄電装置ＩＤ及び蓄電装置６の状態の履歴情報（後述する）を情報端末１６に送信する。また、通信器３４は、情報端末１６から送信された解除信号（後述する）を受信する。
【００６４】
複数の端子３６は、蓄電装置６と外部機器とを電気的に接続するための端子であり、放電端子３６ａ、充電端子３６ｂ、通信端子３６ｃ、ＩＤ端子３６ｄ及びグランド端子３６ｅを備えている。外部機器は、蓄電装置６の外部の機器であり、例えば、電気機器４、検査装置２４及び充電装置２８等である。
【００６５】
放電端子３６ａは、蓄電池３２の放電のための端子であり、入出力器３８を介して蓄電池３２と接続されている。すなわち、蓄電池３２からの電力は、放電端子３６ａを介して外部機器に供給される。
【００６６】
充電端子３６ｂは、蓄電池３２の充電のための端子であり、入出力器３８を介して蓄電池３２と接続されている。すなわち、充電装置２８からの電力は、充電端子３６ｂを介して蓄電池３２に供給され、蓄電池３２に蓄えられる。
【００６７】
通信端子３６ｃは、外部機器との間で通信するための端子である。例えば、記憶器４２に記憶された蓄電装置ＩＤは、通信端子３６ｃを介して検査装置２４に送信される。
【００６８】
ＩＤ端子３６ｄは、外部機器の種別を識別するための端子である。例えば、制御器４４（後述する）は、外部機器の端子がＩＤ端子３６ｄに接続されたときに、ＩＤ端子３６ｄがグランド接続されているか否かに基づいて、外部機器が負荷装置であるか否かを判定する。
【００６９】
グランド端子３６ｅは、外部機器とグランド接続される端子である。
【００７０】
入出力器３８は、蓄電装置６を使用不可の状態にロック（保持）するためのものである。なお、使用不可の状態とは、例えば蓄電装置６の放電が禁止されている状態である。具体的には、入出力器３８は、放電端子３６ａと蓄電池３２との間の回路の導通及び遮断を切り替えるスイッチ４６を備えている。スイッチ４６は、例えば電界効果トランジスタ（ＦＥＴ）等の半導体スイッチであり、制御器４４からの制御信号に基づいてオン及びオフのいずれかになる。スイッチ４６がオフしたときには、放電端子３６ａと蓄電池３２との間の回路が遮断されることにより、蓄電装置６が使用不可の状態にロックされる。一方、スイッチ４６がオンしたときには、放電端子３６ａと蓄電池３２との間の回路が導通されることにより、使用不可の状態にロックされた蓄電装置６のロックが解除され、蓄電装置６が使用可能な状態となる。なお、使用可能の状態とは、例えば蓄電装置６の放電が許可された状態である。
【００７１】
なお、上述したスイッチ４６は、放電端子３６ａと蓄電池３２との間の回路の導通及び遮断を切り替え、且つ、充電端子３６ｂと蓄電池３２との間の回路の導通及び遮断を切り替えるスイッチであってもよい。
【００７２】
表示器４０は、例えばＬＥＤ（Ｌｉｇｈｔ  Ｅｍｉｔｔｉｎｇ  Ｄｉｏｄｅ）である。表示器４０は、蓄電池３２の残容量が閾値よりも低下した際に、制御器４４からの制御信号に基づいて点灯する。表示器４０が点灯することにより、利用者８は、蓄電池３２の残容量が少なくなったことを知ることができる。
【００７３】
記憶器４２は、例えば半導体メモリ等であり、各種データを記憶する。具体的には、記憶器４２は、蓄電装置ＩＤ及び蓄電装置６の状態の履歴情報等を記憶する。なお、記憶器４２に記憶された蓄電装置ＩＤ及び蓄電装置６の状態の履歴情報は、通信器３４及び情報端末１６を介してサーバ装置１４に送信される。
【００７４】
蓄電装置６の状態の履歴情報は、例えば、蓄電装置６の総放電量、総充電量、充電回数、放電回数、電圧、電流、内部抵抗及び温度等の履歴情報である。なお、蓄電装置６の状態の履歴情報は、例えば温度異常、電流異常、電圧異常及び衝撃異常等の異常履歴情報を含んでいてもよい。
【００７５】
制御器４４は、スイッチ４６のオン及びオフを制御する。具体的には、制御器４４は、情報端末１６から送信された解除信号を受信すると、入出力器３８のスイッチ４６に制御信号を出力することにより、スイッチ４６をオフからオンに切り替える。なお、解除信号は、使用不可の状態にロックされた蓄電装置６のロックを解除する信号である。また、制御器４４は、通信器３４を制御することにより、情報端末１６との間の通信を制御する。さらに、制御器４４は、表示器４０に制御信号を出力することにより、表示器４０の点灯及び消灯を制御する。
【００７６】
なお、制御器４４は、制御機能を備えるものであればよく、どのように実現されてもよい。例えば、制御器４４は、専用のハードウェアで構成されてもよい。また例えば、制御器４４は、各構成要素に適したソフトウェアプログラムを実行することによって実現されてもよい。この場合、制御器４４は、例えば、演算処理部（図示せず）と制御プログラムを記憶する記憶部（図示せず）とを備えてもよい。演算処理部としては、ＭＰＵ（Ｍｉｃｒｏ  Ｐｒｏｃｅｓｓｉｎｇ  Ｕｎｉｔ）又はＣＰＵ（Ｃｅｎｔｒａｌ  Ｐｒｏｃｅｓｓｉｎｇ  Ｕｎｉｔ）が例示される。記憶部としては、メモリが例示される。さらに、制御器４４は、集中制御を行う単独の制御器４４で構成されていてもよく、互いに協働して分散制御を行う複数の制御器４４で構成されていてもよい。
【００７７】
［１−３．情報端末の機能構成］
次に、図３を参照しながら、実施の形態１に係る情報端末１６の機能構成について説明する。図３は、実施の形態１に係る情報端末１６の機能構成を示すブロック図である。
【００７８】
図３に示すように、情報端末１６は、通信器４８、記憶器５０、入力器５２、表示器５４及び制御器５６を備えている。
【００７９】
通信器４８は、蓄電装置６との間で近距離無線通信により通信し、且つ、サーバ装置１４との間でインターネット１８を介して通信するための通信アダプタである。例えば、通信器４８は、蓄電装置６に解除信号を送信する。また、通信器４８は、蓄電装置６から送信された蓄電装置ＩＤ及び蓄電装置６の状態の履歴情報を受信する。さらに、通信器４８は、蓄電装置６から受信した蓄電装置ＩＤ及び蓄電装置６の状態の履歴情報と利用者ＩＤとが対応付けられたデータをサーバ装置１４に送信する。また、通信器４８は、サーバ装置１４からダウンロードされたプログラム（後述する）を受信する。通信器４８は、本開示の通信器の一例である。
【００８０】
なお、実施の形態１に係るレンタルシステム２では、情報端末１６に解除信号を送信するタイミングに特徴がある。情報端末１６に解除信号を送信するタイミングについては後述する。
【００８１】
記憶器５０は、例えば半導体メモリ等であり、各種データを記憶する。具体的には、記憶器５０は、利用者ＩＤと、サーバ装置１４からダウンロードされたプログラムとを記憶する。なお、プログラムは、蓄電装置６から蓄電装置ＩＤ及び蓄電装置６の状態の履歴情報を取得し、且つ、取得した蓄電装置ＩＤ及び蓄電装置６の状態の履歴情報を利用者ＩＤと対応付けてサーバ装置１４に送信するためのアプリケーションプログラムである。
【００８２】
入力器５２は、利用者８による各種指示を受け付けるユーザインタフェースであり、例えばタッチパネルである。例えば、入力器５２は、利用者８によるプログラムのインストールの指示、及び、利用者８によるプログラムの起動の指示等を受け付ける。入力器５２は、本開示の受付器の一例である。
【００８３】
表示器５４は、例えば液晶パネルであり、各種画面を表示する。
【００８４】
制御器５６は、通信器４８を制御することにより、蓄電装置６との間の通信、及び、サーバ装置１４との間の通信を制御する。例えば、制御器５６は、演算処理部（図示せず）及びプログラムを記憶する記憶部（図示せず）を備える。演算処理部としては、ＭＰＵ、ＣＰＵが例示される。記憶部としては、メモリが例示される。例えば、制御器５６は、記憶器５０に記憶されたプログラムに基づいて、蓄電装置６から蓄電装置ＩＤ及び蓄電装置６の状態の履歴情報を取得し、且つ、取得した蓄電装置ＩＤ及び蓄電装置６の状態の履歴情報を利用者ＩＤと対応付けてサーバ装置１４に送信する。また、制御器５６は、解除信号を蓄電装置６に送信するように通信器４８を制御する。さらに、制御器５６は、表示器５４の表示内容を制御する。制御器５６による上記制御は具体的には次のように実行される。記憶器５０に記憶されたプログラムが、制御器５６の記憶部に転送、記憶される。制御器５６の記憶部に記憶されたプログラムは、演算処理部に上記制御を実行させる。なお、制御器５６は、本開示の制御器の一例である。
【００８５】
［１−４．レンタルシステムの処理］
次に、図４〜図６を参照しながら、実施の形態１に係るレンタルシステム２の処理について説明する。
【００８６】
［１−４−１．蓄電装置のレンタル処理］
まず、図４を参照しながら、蓄電装置６のレンタル処理について説明する。図４は、実施の形態１に係るレンタルシステム２におけるレンタル処理を示すシーケンス図である。
【００８７】
図４に示すように、利用者８は、レンタルサービスを利用する際に、サービスセンタ１２において会員カード３０を提示する。処理装置２０は、カードリーダ２２を介して、会員カード３０から利用者ＩＤを読み出す（Ｓ１１）。その後、処理装置２０は、検査装置２４を介して、レンタルされる蓄電装置６の記憶器４２から蓄電装置ＩＤを読み出す（Ｓ１２）。このとき、検査装置２４は、蓄電装置６の検査を行ってもよい。
【００８８】
その後、処理装置２０は、レンタルデータをサーバ装置１４に送信する（Ｓ１３）。レンタルデータは、少なくとも利用者ＩＤ及び蓄電装置ＩＤを含むデータである。その後、サーバ装置１４は、処理装置２０からレンタルデータを受信し、レンタルデータを管理テーブル５８に登録する（Ｓ１４）。管理テーブル５８は、サーバ装置１４のデータベース（図示せず）に含まれる。管理テーブル５８の一例については後述する。
【００８９】
なお、利用者８にレンタルされた蓄電装置６は、使用不可の状態にロックされている。使用不可の状態にロックされた蓄電装置６を電気機器４に搭載したとしても、蓄電装置６からの電力は電気機器４に供給されないため、電気機器４は駆動しない。蓄電装置６のロックを解除する手順については後述する。
【００９０】
ここで、図５を参照しながら、管理テーブル５８の一例を説明する。図５は、実施の形態１に係るサーバ装置１４で管理される管理テーブル５８の一例を示す図である。
【００９１】
図５に示すように、管理テーブル５８は、利用者ＩＤ、蓄電装置ＩＤ、返却期限、返却日、更新期限、総放電量及び温度の各フィールドを有する。
【００９２】
利用者ＩＤ及び蓄電装置ＩＤの各フィールドには、利用者８の利用者ＩＤと当該利用者８にレンタルされた蓄電装置６の蓄電装置ＩＤとが対応付けて登録される。実施の形態１では、サーバ装置１４がレンタルデータを受信したときに管理テーブル５８に新たなレコードが生成され、レンタルデータに含まれる利用者ＩＤ及び蓄電装置ＩＤが当該レコードに登録される。
【００９３】
返却期限のフィールドには、レンタルされた蓄電装置６の返却期限日が登録される。例えば、利用者ＩＤ及び蓄電装置ＩＤが登録される際に、返却期限のフィールドにレンタル期間に基づく返却期限日が登録される。なお、レンタル期間は、例えば、レンタルデータに含まれてもよく、あるいは、予め定められた固定期間であってもよい。
【００９４】
返却日のフィールドには、レンタルされた蓄電装置６が返却された日付が登録される。まだ蓄電装置６が返却されていない場合は、返却日のフィールドには有効な日付が登録されない。
【００９５】
更新期限のフィールドには、蓄電装置６からサーバ装置１４に、蓄電装置６の状態の履歴情報が送信されるべき期限日が登録される。更新期限のフィールドは、例えば、サーバ装置１４が蓄電装置６から蓄電装置６の状態の履歴情報を受信したときに、予め定められた更新期間に基づいて更新される。
【００９６】
総放電量のフィールドには、レンタルされた蓄電装置６の一定期間内の総放電量が登録される。総放電量とは、例えば、蓄電装置６から電気機器４に供給された一定期間内の総電力量を定量的に表す値である。なお、総放電量に代えて、例えば、レンタルされた蓄電装置６の一定期間内の総充電量であってもよい。この総放電量のフィールドは、サーバ装置１４が蓄電装置６から蓄電装置６の状態の履歴情報を受信したときに、当該蓄電装置６の状態の履歴情報が示す総放電量に基づいて更新される。
【００９７】
温度のフィールドには、レンタル期間中における蓄電装置６の温度が登録される。ここでは、温度は、例えば「高」、「中」及び「低」等の温度範囲によって表される。例えば、温度は、蓄電装置６の使用時及び不使用時の最高温度がどの温度範囲に含まれるかを示す。温度のフィールドは、サーバ装置１４が蓄電装置６から蓄電装置６の状態の履歴情報を受信したときに、当該蓄電装置６の状態の履歴情報が示す温度に基づいて必要に応じて更新される。
【００９８】
［１−４−２．蓄電装置の状態の履歴情報の送信処理］
次に、図６を参照しながら、蓄電装置６の状態の履歴情報の送信処理について説明する。図６は、実施の形態１に係るレンタルシステム２における蓄電装置６の状態の履歴情報の送信処理を示すシーケンス図である。
【００９９】
利用者８がレンタルサービスを初めて利用する際には、まず、以下のように、上述したプログラムを情報端末１６にインストールする必要がある。図６に示すように、利用者８は、情報端末１６を操作することにより、管理センタ１０が運営するレンタルサービスのウェブページを表示器５４に表示させる（Ｓ２１）。その後、利用者８は、このウェブページでプログラムをダウンロードするための操作を行うことにより、サーバ装置１４から情報端末１６にプログラムがダウンロードされる（Ｓ２２）。
【０１００】
その後、情報端末１６の入力器５２が利用者８によるプログラムのインストールの指示を受け付けることにより、情報端末１６においてプログラムのインストールが開始する（Ｓ２３）。このとき、入力器５２が利用者８によるプログラムのインストールの指示を受け付けたことを契機として、制御器５６は、解除信号を蓄電装置６に送信するように通信器４８を制御する。例えば、制御器５６は、インストールの指示が受け付けられたことを示す判定信号に基づいて、解除信号を蓄電装置６に送信するように通信器４８を制御する。これにより、解除信号が情報端末１６から蓄電装置６に送信される（Ｓ２４）（ステップ（ａ））。すなわち、解除信号の送信は、入力器５２が利用者８によるプログラムのインストールの指示を受け付けた後に実行される。
【０１０１】
なお、解除信号を送信するタイミングは、入力器５２が利用者８によるプログラムのインストールの指示を受け付けたタイミングと同時でもよく、あるいは、当該タイミングよりも後の任意のタイミングでもよい。また、解除信号の送信は、例えば情報端末１６に予めインストールされた他のプログラムに基づいて実行される。
【０１０２】
制御器４４は、情報端末１６から送信された解除信号を受信すると、入出力器３８のスイッチ４６に制御信号を出力することにより、スイッチ４６をオフからオンに切り替える。これにより、使用不可の状態にロックされた蓄電装置６のロックが解除され（Ｓ２５）、蓄電装置６が使用可能な状態となる。その後、情報端末１６においてプログラムのインストールが完了し（Ｓ２６）、インストールされたプログラムが記憶器５０に記憶される。
【０１０３】
利用者８は、ロックが解除された蓄電装置６を電気機器４に搭載する。これにより、蓄電装置６からの電力が電気機器４に供給され、電気機器４が駆動される。利用者８が蓄電装置６を使用している期間、蓄電装置６の記憶器４２には蓄電装置６の状態の履歴情報が蓄積される。
【０１０４】
蓄電装置６の状態の履歴情報の更新期限（図５参照）が到来すると、サーバ装置１４から情報端末１６に対して蓄電装置６の状態の履歴情報の送信を要求する通知が行われる。この通知は、例えば、サーバ装置１４から情報端末１６に電子メールを送信することにより行われる。この通知を受けて、利用者８は、情報端末１６を操作することにより、インストールされたプログラムを起動する（Ｓ２７）。
【０１０５】
プログラムが起動すると、情報端末１６から蓄電装置６に対して蓄電装置ＩＤ及び蓄電装置６の状態の履歴情報の送信を要求する指示が送信される。この指示を受けて、蓄電装置６は、記憶器４２に記憶された蓄電装置ＩＤ及び蓄電装置６の状態の履歴情報を情報端末１６に送信する（Ｓ２８）。その後、情報端末１６は、蓄電装置６から受信した蓄電装置ＩＤ及び蓄電装置６の状態の履歴情報と、記憶器５０に記憶された利用者ＩＤとが対応付けられたデータをサーバ装置１４に送信する（Ｓ２９）。
【０１０６】
サーバ装置１４は、蓄電装置６からデータを受信すると、当該データに含まれる蓄電装置６の状態の履歴情報を蓄電装置ＩＤに対応付けて蓄積する（Ｓ３０）。そして、サーバ装置１４は、受信した利用者ＩＤ、蓄電装置ＩＤ及び蓄電装置６の状態の履歴情報に基づいて、管理テーブル５８を更新する（Ｓ３１）。例えば、サーバ装置１４は、蓄電装置６の状態の履歴情報に含まれる総放電量及び温度に基づいて、蓄電装置ＩＤに対応する管理テーブル５８の総放電量及び温度を更新する。
【０１０７】
［１−５．効果］
次に、実施の形態１に係る情報端末１６の制御方法により得られる効果について説明する。上述したように、入力器５２が利用者８によるプログラムのインストールの指示を受け付けた後に、解除信号が情報端末１６から蓄電装置６に送信される。すなわち、利用者８が蓄電装置６の状態の履歴情報を情報端末１６からサーバ装置１４に送信する準備（プログラムのインストール）を整えた後に、解除信号が情報端末１６から蓄電装置６に送信され、蓄電装置６のロックが解除される。
【０１０８】
これにより、蓄電装置６の状態の履歴情報がサーバ装置１４に送信しないまま、利用者８が蓄電装置６を使用し続ける状況の発生を低減することができる。その結果、サーバ装置１４において蓄電装置６の使用状況等を適切に管理し易くなる。
【０１０９】
（実施の形態２）
［２−１．蓄電装置の状態の履歴情報の送信処理］
次に、図７を参照しながら、実施の形態２に係るレンタルシステム２Ａ（図１参照）における蓄電装置６の状態の履歴情報の送信処理について説明する。図７は、実施の形態２に係るレンタルシステム２Ａにおける蓄電装置６の状態の履歴情報の送信処理を示すシーケンス図である。なお、以下の各実施の形態において、上記実施の形態１と同一の構成要素には同一の符号を付して、その説明を省略する。
【０１１０】
実施の形態２と上記実施の形態１とでは、解除信号を送信するタイミングが異なっている。図７に示すように、まず、実施の形態１で説明した図６のステップＳ２１〜Ｓ２３と同様に、ステップＳ４１〜Ｓ４３が実行される。その後、情報端末１６においてプログラムのインストールが完了する（Ｓ４４）。
【０１１１】
このとき、情報端末１６においてプログラムのインストールが完了したことを契機として、制御器５６は、解除信号を蓄電装置６に送信するように通信器４８を制御する。例えば、制御器５６は、インストールが完了したことを示す判定信号に基づいて、解除信号を蓄電装置６に送信するように通信器４８を制御する。これにより、解除信号が情報端末１６から蓄電装置６に送信される（Ｓ４５）（ステップ（ａ））。すなわち、上記実施の形態１と同様に、解除信号の送信は、入力器５２が利用者８によるプログラムのインストールの指示を受け付けた後に実行される。これにより、使用不可の状態にロックされた蓄電装置６のロックが解除される（Ｓ４６）。
【０１１２】
なお、解除信号を送信するタイミングは、プログラムのインストールが完了したタイミングと同時でもよく、あるいは、当該タイミングよりも後の任意のタイミングでもよい。
【０１１３】
その後、実施の形態１で説明した図６のステップＳ２７〜Ｓ３１と同様に、ステップＳ４７〜Ｓ５１が実行される。
【０１１４】
［２−２．効果］
実施の形態２においても、入力器５２が利用者８によるプログラムのインストールの指示を受け付けた後に、解除信号が情報端末１６から蓄電装置６に送信される。これにより、上記実施の形態１と同様の効果を得ることができる。
【０１１５】
（実施の形態３）
［３−１．蓄電装置の状態の履歴情報の送信処理］
次に、図８を参照しながら、実施の形態３に係るレンタルシステム２Ｂ（図１参照）における蓄電装置６の状態の履歴情報の送信処理について説明する。図８は、実施の形態３に係るレンタルシステム２Ｂにおける蓄電装置６の状態の履歴情報の送信処理を示すシーケンス図である。
【０１１６】
実施の形態３と上記実施の形態１とでは、解除信号を送信するタイミングが異なっている。図８に示すように、まず、実施の形態１で説明した図６のステップＳ２１〜Ｓ２３と同様に、ステップＳ６１〜Ｓ６３が実行される。その後、情報端末１６においてプログラムのインストールが完了し（Ｓ６４）、利用者８は、情報端末１６を操作することにより、インストールされたプログラムを起動する（Ｓ６５）。
【０１１７】
このとき、入力器５２が利用者８によるプログラムの起動の指示を受け付けたことを契機として、制御器５６は、解除信号を蓄電装置６に送信するように通信器４８を制御する。例えば、制御器５６は、プログラムの起動の指示が受け付けられたことを示す判定信号に基づいて、解除信号を蓄電装置６に送信するように通信器４８を制御する。これにより、解除信号が情報端末１６から蓄電装置６に送信される（Ｓ６６）（ステップ（ａ））。すなわち、解除信号の送信は、入力器５２が利用者８によるプログラムの起動の指示を受け付けた後に実行される。これにより、使用不可の状態にロックされた蓄電装置６のロックが解除される（Ｓ６７）。
【０１１８】
なお、解除信号を送信するタイミングは、入力器５２が利用者８によるプログラムの起動の指示を受け付けたタイミングと同時でもよく、あるいは、当該タイミングよりも後の任意のタイミングでもよい。
【０１１９】
その後、実施の形態１で説明した図６のステップＳ２８〜Ｓ３１と同様に、ステップＳ６８〜Ｓ７１が実行される。
【０１２０】
［３−２．効果］
実施の形態３においては、入力器５２が利用者８によるプログラムの起動の指示を受け付けた後に、解除信号が情報端末１６から蓄電装置６に送信される。すなわち、利用者８が蓄電装置６の状態の履歴情報を情報端末１６からサーバ装置１４に送信する準備（プログラムの起動）を整えた後に、解除信号が情報端末１６から蓄電装置６に送信され、蓄電装置６のロックが解除される。これにより、上記実施の形態１と同様の効果を得ることができる。
【０１２１】
［３−３．変形例］
実施の形態３では、入力器５２が利用者８によるプログラムの起動の指示を受け付けたことを契機として、制御器５６は、解除信号を蓄電装置６に送信するように通信器４８を制御した。このような構成に代えて、プログラムの起動が完了したことを契機として、制御器５６は、解除信号を蓄電装置６に送信するように通信器４８を制御してもよい。例えば、制御器５６は、プログラムの起動が完了したことを示す判定信号に基づいて、解除信号を蓄電装置６に送信するように通信器４８を制御する。
【０１２２】
このとき、解除信号を送信するタイミングは、プログラムの起動が完了したタイミングと同時でもよく、あるいは、当該タイミングよりも後の任意のタイミングでもよい。
【０１２３】
（実施の形態４）
［４−１．蓄電装置の状態の履歴情報の送信処理］
次に、図９及び図１０を参照しながら、実施の形態４に係るレンタルシステム２Ｃ（図１参照）における蓄電装置６の状態の履歴情報の送信処理について説明する。図９は、実施の形態４に係るレンタルシステム２Ｃにおける蓄電装置６の状態の履歴情報の送信処理を示すシーケンス図である。図１０は、実施の形態４に係る情報端末１６に表示される確認画面６０の一例を示す図である。
【０１２４】
実施の形態４と上記実施の形態１とでは、解除信号を送信するタイミングが異なっている。図９に示すように、まず、実施の形態１で説明した図６のステップＳ２１〜Ｓ２３と同様に、ステップＳ８１〜Ｓ８３が実行される。その後、情報端末１６においてプログラムのインストールが完了し（Ｓ８４）、利用者８は、情報端末１６を操作することにより、インストールされたプログラムを起動する（Ｓ８５）。
【０１２５】
その後、図１０に示すように、情報端末１６の制御器５６は、インストールされたプログラムに基づいて、解除信号の送信を確認するための確認画面６０を表示器５４に表示させる（Ｓ８６）（ステップ（ｂ）、ステップ（ｃ））。その後、利用者８が確認画面６０のボタン６２を指でタップすることにより、入力器５２は、利用者８による解除信号の送信の指示を受け付ける。これにより、解除信号が情報端末１６から蓄電装置６に送信される（Ｓ８７）（ステップ（ａ））。すなわち、解除信号の送信は、入力器５２が利用者８によるプログラムの起動の指示を受け付けた後（又は、入力器５２が利用者８によるプログラムのインストールの指示を受け付けた後）に実行される。これにより、使用不可の状態にロックされた蓄電装置６のロックが解除される（Ｓ８８）。
【０１２６】
なお、上述したステップＳ８６において、利用者８が確認画面６０のボタン６４を指でタップすると、解除信号は情報端末１６から蓄電装置６に送信されない。
【０１２７】
その後、実施の形態１で説明した図６のステップＳ２８〜Ｓ３１と同様に、ステップＳ８９〜Ｓ９２が実行される。
【０１２８】
［４−２．効果］
実施の形態４においては、入力器５２が利用者８によるプログラムの起動の指示を受け付けた後（又は、入力器５２が利用者８によるプログラムのインストールの指示を受け付けた後）に、解除信号が情報端末１６から蓄電装置６に送信される。これにより、上記実施の形態１と同様の効果を得ることができる。
【０１２９】
さらに、確認画面６０が表示器５４に表示されるので、利用者８は、この確認画面６０に従って解除信号を蓄電装置６に送信する指示を行うことができる。
【０１３０】
（実施の形態５）
［５−１．蓄電装置の状態の履歴情報の送信処理］
次に、図１１及び図１２を参照しながら、実施の形態５に係るレンタルシステム２Ｄ（図１参照）における蓄電装置６の状態の履歴情報の送信処理について説明する。図１１は、実施の形態５に係るレンタルシステム２Ｄにおける蓄電装置６の状態の履歴情報の送信処理を示すシーケンス図である。図１２は、実施の形態５に係る情報端末１６に表示される確認画面６６の一例を示す図である。
【０１３１】
実施の形態５と上記実施の形態１とでは、解除信号を送信するタイミングが異なっている。図１１に示すように、まず、実施の形態１で説明した図６のステップＳ２１〜Ｓ２３と同様に、ステップＳ１０１〜Ｓ１０３が実行される。その後、情報端末１６においてプログラムのインストールが完了し（Ｓ１０４）、利用者８は、情報端末１６を操作することにより、インストールされたプログラムを起動する（Ｓ１０５）。
【０１３２】
その後、図１２に示すように、情報端末１６の制御器５６は、インストールされたプログラムに基づいて、利用者ＩＤ（利用者８に関する情報の一例）と蓄電装置ＩＤ（蓄電装置６に関する情報の一例）とが対応付けされたデータのサーバ装置１４への送信を確認するための確認画面６６を表示器５４に表示させる（Ｓ１０６）（ステップ（ｅ））。その後、利用者８が確認画面６６のボタン６８を指でタップすることにより、入力器５２は、利用者８による上記データのサーバ装置１４への送信の指示を受け付ける。これにより、上記データが情報端末１６からサーバ装置１４に送信される（Ｓ１０７）（ステップ（ｄ））。
【０１３３】
なお、上述したステップＳ１０６において、利用者８が確認画面６６のボタン７０を指でタップすると、上記データは情報端末１６からサーバ装置１４に送信されない。
【０１３４】
その後、情報端末１６の制御器５６は、インストールされたプログラムに基づいて、解除信号の送信を確認するための確認画面６０（図１０参照）を表示器５４に表示させる（Ｓ１０８）（ステップ（ｂ）、ステップ（ｃ））。その後、利用者８が確認画面６０のボタン６２を指でタップすることにより、解除信号が情報端末１６から蓄電装置６に送信される（Ｓ１０９）（ステップ（ａ））。すなわち、解除信号の送信は、入力器５２が利用者８によるプログラムの起動の指示を受け付けた後（又は、入力器５２が利用者８によるプログラムのインストールの指示を受け付けた後）に実行される。これにより、使用不可の状態にロックされた蓄電装置６のロックが解除される（Ｓ１１０）。
【０１３５】
その後、実施の形態１で説明した図６のステップＳ２８〜Ｓ３１と同様に、ステップＳ１１１〜Ｓ１１４が実行される。
【０１３６】
［５−２．効果］
実施の形態５においても、入力器５２が利用者８によるプログラムの起動の指示を受け付けた後（又は、入力器５２が利用者８によるプログラムのインストールの指示を受け付けた後）に、解除信号が情報端末１６から蓄電装置６に送信される。これにより、上記実施の形態１と同様の効果を得ることができる。
【０１３７】
さらに、確認画面６６が表示器５４に表示されるので、利用者８は、この確認画面６６に従って上記データをサーバ装置１４に送信する指示を行うことができる。
【０１３８】
［５−３．変形例］
実施の形態５では、ステップＳ１０７において利用者ＩＤと蓄電装置ＩＤとが対応付けされたデータをサーバ装置１４に送信したが、このデータには、蓄電装置６が搭載される電気機器４に関する情報がさらに対応付けされていてもよい。電気機器４に関する情報は、例えば電気機器４の種類（電動自転車等）を示す情報である。
【０１３９】
また、ステップＳ１０７において、利用者ＩＤ及び蓄電装置ＩＤのうちいずれか一方のみをサーバ装置１４に送信してもよい。
【０１４０】
また、ステップＳ１０７において送信される利用者８に関する情報は、利用者ＩＤに限定されず、例えば、利用者８の識別番号、利用者８の氏名と住所とが対応付されたデータ、又は、利用者８が操作する情報端末１６を識別するための情報端末ＩＤ等の任意の情報であってもよい。
【０１４１】
さらに、ステップＳ１０７において送信される蓄電装置６に関する情報は、蓄電装置ＩＤに限定されず、例えば、蓄電装置６の識別番号、蓄電装置６の状態情報等の任意の情報であってもよい。蓄電装置６の状態情報は、例えば、蓄電装置６の電圧、温度及び容量等を示す情報である。
【０１４２】
（その他変形例）
以上、一つ又は複数の態様に係る情報端末１６の制御方法について、上記実施の形態に基づいて説明したが、本開示は、この実施の形態に限定されるものではない。本開示の趣旨を逸脱しない限り、当業者が思い付く各種変形を本実施の形態に施したものや、異なる実施の形態又は変形例における構成要素を組み合わせて構築される形態も、一つ又は複数の態様の範囲内に含まれてもよい。
【０１４３】
上記各実施の形態では、電気機器４を電動自転車としたが、これに限定されず、例えば電動スクータ又は電気自動車等でもよい。なお、電気機器４は、輸送用機器に限定されない。
【０１４４】
上記各実施の形態では、スイッチ４６を半導体スイッチとしたが、これに限定されず、例えば機械的にオン・オフする機械スイッチでもよい。
【０１４５】
なお、上記実施の形態において、各構成要素は、専用のハードウェアで構成されるか、各構成要素に適したソフトウェアプログラムを実行することによって実現されてもよい。各構成要素は、ＣＰＵ又はプロセッサ等のプログラム実行部が、ハードディスク又は半導体メモリ等の記録媒体に記録されたソフトウェアプログラムを読み出して実行することによって実現されてもよい。
【０１４６】
また、以下のような場合も本開示に含まれる。
【０１４７】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムで実現され得る。ＲＡＭ又はハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１４８】
（２）上記の各装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＯＭには、コンピュータプログラムが記憶されている。マイクロプロセッサが、ＲＯＭからＲＡＭにコンピュータプログラムをロードし、ロードしたコンピュータプログラムにしたがって演算等の動作することにより、システムＬＳＩは、その機能を達成する。
【０１４９】
（３）上記の各装置を構成する構成要素の一部又は全部は、各装置に脱着可能なＩＣカード又は単体のモジュールから構成されてもよい。ＩＣカード又はモジュールは、マイクロプロセッサ、ＲＯＭ、ＲＡＭなどから構成されるコンピュータシステムである。ＩＣカード又はモジュールには、上記の超多機能ＬＳＩが含まれてもよい。マイクロプロセッサが、コンピュータプログラムにしたがって動作することにより、ＩＣカード又はモジュールは、その機能を達成する。このＩＣカード又はこのモジュールは、耐タンパ性を備えてもよい。
【０１５０】
（４）本開示は、上記に示す方法で実現されてもよい。また、これらの方法をコンピュータにより実現するコンピュータプログラムで実現してもよいし、コンピュータプログラムからなるデジタル信号で実現してもよい。
【０１５１】
また、本開示は、コンピュータプログラム又はデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したもので実現してもよい。また、これらの記録媒体に記録されているデジタル信号で実現してもよい。
【０１５２】
また、本開示は、コンピュータプログラム又はデジタル信号を、電気通信回線、無線又は有線通信回線、インターネットを代表とするネットワーク、データ放送等を経由して伝送してもよい。
【０１５３】
また、本開示は、マイクロプロセッサとメモリを備えたコンピュータシステムであって、メモリは、コンピュータプログラムを記憶しており、マイクロプロセッサは、コンピュータプログラムにしたがって動作してもよい。
【０１５４】
また、プログラム又はデジタル信号を記録媒体に記録して移送することにより、又はプログラム又はデジタル信号をネットワーク等を経由して移送することにより、独立した他のコンピュータシステムにより実施するとしてもよい。
【０１５５】
（５）上記実施の形態及び上記変形例をそれぞれ組み合わせるとしてもよい。
【産業上の利用可能性】
【０１５６】
本開示の情報端末の制御方法及び情報端末は、例えば蓄電装置をレンタルするレンタルシステム等に適用することができる。
【符号の説明】
【０１５７】
２，２Ａ，２Ｂ，２Ｃ，２Ｄ  レンタルシステム
４  電気機器
６  蓄電装置
８  利用者
１０  管理センタ
１２  サービスセンタ
１４  サーバ装置
１６  情報端末
１８  インターネット
２０  処理装置
２２  カードリーダ
２４  検査装置
２６  中継装置
２８  充電装置
３０  会員カード
３２  蓄電池
３４，４８  通信器
３６  端子
３６ａ  放電端子
３６ｂ  充電端子
３６ｃ  通信端子
３６ｄ  ＩＤ端子
３６ｅ  グランド端子
３８  入出力器
４０，５４  表示器
４２，５０  記憶器
４４，５６  制御器
４６  スイッチ
５２  入力器
５８  管理テーブル
６０，６６  確認画面
６２，６４，６８，７０  ボタン
【図１】
0006751897.tif 000002
【図２】
0006751897.tif 000003
【図３】
0006751897.tif 000004
【図４】
0006751897.tif 000005
【図５】
0006751897.tif 000006
【図６】
0006751897.tif 000007
【図７】
0006751897.tif 000008
【図８】
0006751897.tif 000009
【図９】
0006751897.tif 000010
【図１０】
0006751897.tif 000011
【図１１】
0006751897.tif 000012
【図１２】
0006751897.tif 000013